(57)【要約】【課題】            簡単な構成で確実な防水機能を果たすシャッタを備えた換気扇を得る。【解決手段】        ギヤードモータ２によって開閉動するシャッタ３を換気口４に備えた換気扇について、そのギヤードモータ２をシャッタ３より低位に設け、ギヤードモータ２のモータケース８から上方に引出されたワイヤ１０を、シャッタ３を動かす連結部材６に連結し、ワイヤ１０にシャッタ３の開放時にモータケース８におけるワイヤ１０の引出し口部１１を塞ぐ防雨カバー１２を固定する。【選択図】          図２
2008014541.tif 000002
【特許請求の範囲】
【請求項１】
ギヤードモータによって開閉動するシャッタを換気口に備えた換気扇であって、そのギヤードモータをシャッタより低位に設け、このギヤードモータのケースから上方に引出されたワイヤを、シャッタを動かす連結部材に連結し、このワイヤに前記シャッタの開放時に前記ギヤードモータのケースにおけるワイヤの引出し口部を塞ぐ防雨カバーを固定した換気扇。
【請求項２】
請求項１に記載の換気扇であって、防雨カバーをワイヤの移動方向に可撓可能な軟質材で構成した換気扇。
【請求項３】
請求項１又は請求項２のいずれかに記載の換気扇であって、ギヤードモータのケースにおけるワイヤの引出し口部が部分的に上方に突出している換気扇。
【請求項４】
請求項１〜請求項３までのいずれかに記載の換気扇であって、防雨カバーの周縁に凸縁部を垂下状に設け、この凸縁部がシャッタの開放時にギヤードモータのケースに設けた凸条の外側に係合する構成の換気扇。
【請求項５】
請求項１〜請求項４までのいずれかに記載の換気扇であって、防雨カバーを陣傘状の傾斜屋根構造にした換気扇。
【発明の詳細な説明】
【技術分野】
【０００１】
本発明は、ギヤードモータによって開閉動するシャッタを換気口に備えた換気扇に関するものである。
【背景技術】
【０００２】
ギヤードモータによって開閉動する複数枚のブレードからなるシャッタを換気口に備えた換気扇は広く普及している。その多くがシャッタ枠の下部に取付けられたギヤードモータから上方に引出されたワイヤで複数枚のブレードを連結部材により動かし、シャッタを開閉するようにしている（なお、この種の従来技術としては例えば、特許文献１に示されたものがある。）。
【０００３】
【特許文献１】特開２０００−３１０４３５号公報
【発明の開示】
【発明が解決しようとする課題】
【０００４】
シャッタを換気口に備えた換気扇のシャッタは、シャッタ枠の下部に取付けられたギヤードモータによって開閉される。ギヤードモータは防水構造のモータケースに包まれ防水対策が講じられている。しかし、複数枚のブレードを連結している連結部材は、モータケースの上部の引出し口部から引出されたワイヤに連結されている。引出し口部は、ワイヤの上下方向の動きに伴う横振れを許容すべく比較的広く開口されており、特に給気用の換気扇では防水上のネックとなっている。雨水や結露水がワイヤを伝い引出し口部からモータケース内に浸入すると、ギヤードモータを濡らし、絶縁不良を起こす原因ともなる。ギヤードモータを上側に設け、ワイヤの引出し口部を下向きにして防雨機能を持たせたものも提供されているが、ワイヤの動力伝達の方向を反転させる構造が必要であり、構成が複雑になっている。
【０００５】
本発明は、上記した問題点を解決するためになされたものであり、その課題とするところは、簡単な構成で確実な防水機能を果たすシャッタを備えた換気扇を得ることであり、その換気扇のシャッタを開閉するギヤードモータの防水機能向上を図ることである。
【課題を解決するための手段】
【０００６】
上記課題を解決するために本発明は、ギヤードモータによって開閉動するシャッタを換気口に備えた換気扇について、そのギヤードモータをシャッタより低位に設け、ギヤードモータのケースから上方に引出されたワイヤを、シャッタを動かす連結部材に連結し、ワイヤにシャッタの開放時にギヤードモータのケースにおけるワイヤの引出し口部を塞ぐ防雨カバーを固定する手段を採用する。
【発明の効果】
【０００７】
本発明によれば、ワイヤの伸張時にも巻取り時にも、ギヤードモータのケースの上部に上向きに開口した引出し口部が防雨カバーにより覆われるため、ワイヤを伝って流下する水は防雨カバー上を流下して排水される。特に、ワイヤの巻取り時には、ケースにおけるワイヤの引出し口部を防雨カバーが塞ぐので、しっかりした防水がなされる。
【発明を実施するための最良の形態】
【０００８】
本発明の換気扇は、ギヤードモータによって開閉動するシャッタを屋外に臨む換気口に備えた給気用の換気扇である。シャッタは、垂直面内で回動する複数枚のブレードを備え、各ブレードは連結部材で連結されている。連結部材は、各ブレードを閉じる方向にコイルバネで付勢されている。ギヤードモータは防水構造のモータケースに収められ、シャッタより低位に取付けられている。ギヤードモータのモータケースから上方に引出されたワイヤはブレードを一括して動かす連結部材に、アームを介して連結されている。ワイヤには、シャッタの開放時（ワイヤ巻取り時）にモータケースにおけるワイヤの引出し口部に密着してこれを塞ぐゴム等の軟質の防雨カバーが固定されている。
【０００９】
この換気扇によれば、ワイヤの伸張時にも巻取り時にも、モータケースの上部に上向きに開口した引出し口部が防雨カバーにより覆われるため、ワイヤを伝って流下する水は防雨カバー上を流下して排水される。特に、ワイヤの巻取り時には、モータケースにおけるワイヤの引出し口部を可撓する軟質材の防雨カバーが密着して塞ぐため、簡単な構成にも拘らずしっかりした防水がなされる。
【００１０】
実施の形態１．
図１は、本実施の形態の換気扇の閉止状態のシャッタ部分を示す側面図、図２は、同じく換気扇の開放状態のシャッタ部分を示す側面図、図３は、換気扇のギヤードモータ部分の拡大構成図、図４は、換気扇の他のギヤードモータ部分の拡大構成図、図５は、換気扇の他のギヤードモータ部分の拡大構成図である。
【００１１】
本実施の形態の換気扇１は、ギヤードモータ２によって開閉動するシャッタ３を屋外に臨む換気口４に備えた給気用（排気用でも適用できる）である。シャッタ３は、垂直面内で回動する複数枚（図例では四枚）のブレード５を備え、各ブレード５は後端部において連結部材６で連結されている。連結部材６は、各ブレード５を閉じる方向にコイルバネ７で付勢されている。ギヤードモータ２は防水構造のモータケース８に収められ、シャッタ３より低位のシャッタ枠９に取付けられている（図１，２参照）。ギヤードモータ２のモータケース８から上方に引出されたワイヤ１０はブレード５を一括して動かす連結部材６に、アームを介して連結されている。ワイヤ１０には、シャッタ３の開放時（ワイヤ巻取り時）にモータケース８におけるワイヤ１０の引出し口部１１に密着してこれを塞ぐゴム等の軟質材でできた防雨カバー１２が固定されている（図３参照）。モータケース８の引出し口部１１は、部分的に上方に突出しており、開口部からの水の内部への浸入は万全に防がれている。
【００１２】
この換気扇によれば、ワイヤ１０の伸張時にも巻取り時にも、モータケース８の上部に上向きに開口した引出し口部１１が防雨カバー１２により覆われるため、ワイヤ１０を伝って流下する水は防雨カバー１２上を流下して排水される。特に、ワイヤ１０の巻取り時（シャッタ開放時）には、モータケース８におけるワイヤ１０の引出し口部１１を可撓の軟質材の防雨カバー１２が密着して塞ぐため、簡単な構成にも拘らずしっかりした防雨防水機能が果たされる。
【００１３】
防雨カバー１２については、図４に示すようにその周縁に凸縁部１３を垂下状に設け、この凸縁部１３がシャッタ３の開放時にモータケース８の引出し口部１１の口縁に設けた凸条１４の外側に係合する構成を採って、防雨機能をより確かなものにすることもできる。また、図５に示すように防雨カバー１２を陣傘状の傾斜屋根構造１５にし、防雨カバー１２自体の排水性を高めることも有効である。
【図面の簡単な説明】
【００１４】
【図１】換気扇の閉止状態のシャッタ部分を示す側面図である。（実施の形態１）
【図２】換気扇の開放状態のシャッタ部分を示す側面図である。（実施の形態１）
【図３】換気扇のギヤードモータ部分の拡大構成図である。（実施の形態１）
【図４】換気扇の他のギヤードモータ部分の拡大構成図である。（実施の形態１）
【図５】換気扇の他のギヤードモータ部分の拡大構成図である。（実施の形態１）
【符号の説明】
【００１５】
２  ギヤードモータ、  ３  シャッタ、  ４  換気口、  ８  モータケース、  １０  ワイヤ、  １１  引出し口部、  １２  防雨カバー、  １３  凸縁部、  １４  凸条、  １５  傾斜屋根構造。
【図１】
2008014541.tif 000003
【図２】
2008014541.tif 000004
【図３】
2008014541.tif 000005
【図４】
2008014541.tif 000006
【図５】
2008014541.tif 000007